(57)【要約】【課題】記録紙に記録される生体情報の視認性を向上すること。【解決手段】記録紙１００は、記録紙を搬送しつつ、感熱方式で生体情報を記録する記録装置に用いられる。紙基材１１０は、記録装置から与えられる熱に反応して発色することにより、記録装置からの生体情報を記録する。センサマーカ１２０は、記録装置の搬送方向における一定の間隔で、紙基材１１０上に、紙基材１１０の発色濃度よりも低い濃度を有する色、好ましくは不可視色で印刷される。これにより、生体情報がセンサマーカ１２０に重なって記録された場合であっても、生体情報の視認性の低下を抑制することができる。特に、センサマーカ１２０が不可視色で印刷された場合には、センサマーカ１２０が印刷されていないように見えるので、記録される生体情報の視認性の低下は全くない。【選択図】図１
2008109955.tif 000002
【特許請求の範囲】
【請求項１】
記録紙を搬送しつつ、感熱方式で生体情報を記録する記録装置に用いられる記録紙であって、
前記記録装置から与えられる熱に反応して発色することにより、前記記録装置からの生体情報を記録する紙基材と、
前記記録装置の搬送方向における一定の間隔で、前記紙基材上に、前記紙基材の発色濃度よりも低い濃度を有する色で印刷される複数のセンサマーカと、
を有することを特徴とする記録紙。
【請求項２】
前記複数のセンサマーカは、不可視色で印刷される、
ことを特徴とする請求項１記載の記録紙。
【請求項３】
前記紙基材上に、前記紙基材の発色濃度よりも低い濃度を有する色で印刷されるコードをさらに有する、
ことを特徴とする請求項１記載の記録紙。
【請求項４】
前記コードは、不可視色で印刷される、
ことを特徴とする請求項３記載の記録紙。
【請求項５】
前記コードは、前記生体情報に関連する付加情報を含む、
ことを特徴とする請求項３記載の記録紙。
【請求項６】
前記コードは、記録可能な記録紙の残量を示す情報を含む、
ことを特徴とする請求項３記載の記録紙。
【請求項７】
前記複数のセンサマーカは、それぞれ延伸形状を有する、
ことを特徴とする請求項１乃至請求項６のいずれかに記載の記録紙。
【請求項８】
前記複数のセンサマーカは、それぞれ前記記録装置の搬送方向に延伸する、
ことを特徴とする請求項７記載の記録紙。
【請求項９】
記録紙を搬送する搬送部と、
搬送される記録紙に熱を与えて発色させることにより、前記記録紙に生体情報を記録する記録部と、
前記記録紙上に、前記搬送部の搬送方向における一定の間隔で印刷される複数のセンサマーカを検出する検出部と、
検出される複数のセンサマーカの色の濃度よりも、前記記録紙の発色濃度が高くなるように、前記記録部が前記記録紙に与える熱量を制御する制御部と、
を有することを特徴とする記録装置。
【発明の詳細な説明】
【技術分野】
【０００１】
本発明は、被検者の生体情報を記録する記録紙および記録装置に関する。
【背景技術】
【０００２】
一般に、心電図波形などの被検者の生体情報を記録する記録紙として、感熱紙が使用されている。感熱紙は、生体情報記録装置、例えば心電図波形記録装置の熱ペンまたはサーマルヘッドから与えられる熱によって表面に情報を記録することができる紙である。感熱紙の種類としては、ロール紙および折り畳み紙があり、これらは用途に応じて使い分けられる。
【０００３】
感熱紙には、記録装置の搬送方向における一定の間隔で、センサマーカと呼ばれる黒色の同一パターンがあらかじめ印刷されたタイプのものがある。生体情報の計測時において、この感熱紙は、記録装置内を搬送されつつ、その表面に生体情報が記録される。記録装置は、搬送中の感熱紙からセンサマーカを検出する検出手段を備えており、この検出手段により、記録開始時および記録終了時における頁送りおよび位置合わせを適切に行うことができる。このようにして、非記録時の搬送による感熱紙の無駄遣いが抑制される（例えば、特許文献１参照）。
【特許文献１】特開２００５−２０５０９０号公報
【発明の開示】
【発明が解決しようとする課題】
【０００４】
しかしながら、従来の記録紙にあっては、黒色のセンサマーカが邪魔になって、記録された被検者の生体情報の視認性が低下してしまうという問題がある。例えば、被検者の心電図波形の跳ね上がり部分がセンサマーカに重なると、この跳ね上がり部分が見えなくなってしまう。この問題は、複数の生体情報を複数チャネルで同時に記録する場合に発生し易くなる。
【０００５】
本発明は、かかる点に鑑みてなされたものであり、記録される生体情報の視認性を向上することができる記録紙および記録装置を提供することを目的とする。
【課題を解決するための手段】
【０００６】
本発明の記録紙は、記録紙を搬送しつつ、感熱方式で生体情報を記録する記録装置に用いられる記録紙であって、前記記録装置から与えられる熱に反応して発色することにより、前記記録装置からの生体情報を記録する紙基材と、前記記録装置の搬送方向における一定の間隔で、前記紙基材上に、前記紙基材の発色濃度よりも低い濃度を有する色で印刷される複数のセンサマーカと、を有する構成を採る。
【０００７】
本発明の記録装置は、記録紙を搬送する搬送部と、搬送される記録紙に熱を与えて発色させることにより、前記記録紙に生体情報を記録する記録部と、前記記録紙上に、前記搬送部の搬送方向における一定の間隔で印刷される複数のセンサマーカを検出する検出部と、検出される複数のセンサマーカの色の濃度よりも、前記記録紙の発色濃度が高くなるように、前記記録部が前記記録紙に与える熱量を制御する制御部と、を有する構成を採る。
【発明の効果】
【０００８】
本発明によれば、記録紙に記録される生体情報の視認性を向上することができる。
【発明を実施するための最良の形態】
【０００９】
以下、本発明の実施の形態について、図面を参照して詳細に説明する。
【００１０】
図１（Ａ）〜図１（Ｃ）は、本発明の一実施の形態に係る記録紙１００を示す図である。
【００１１】
図１（Ａ）〜図１（Ｃ）に示すように、記録紙１００は、ミシン目Ｐによって区分された複数の頁からなる。図１（Ａ）、（Ｂ）は、記録紙１００を、これら複数の頁の１つを中心にして拡大したものである。また、図１（Ｃ）に示すように、記録紙１００は、ミシン目Ｐを折り目として折り畳むことができる。なお、各頁のサイズは、例えば、カルテに挟み込むことができるＡ４サイズ（縦２１０ｍｍ×横２９７ｍｍ）である。
【００１２】
図１（Ａ）〜（Ｃ）に示すように、記録紙１００は、紙基材１１０と、紙基材１１０上に印刷されるセンサマーカ１２０とからなる。
【００１３】
また、図１（Ａ）に示すように、紙基材１１０は、紙層１１１と、紙層１１１上に形成された感熱層１１２と、感熱層１１２上に形成されたコーティング層１１３とからなる。紙層１１１は、例えば、白色度が９０％以上の上質紙の層である。感熱層１１２は、電子供与性を有する発色剤と電子受容性を有する顕色剤とを結合剤中に分散させた層である。コーティング層１１３は、例えば、感熱層１１２を保護するための電子線硬化樹脂の層である。なお、紙基材１１０上には、グリッド線、ならびに記録紙１００の製品名および製造者名などをあらかじめ印刷しておいてもよい。
【００１４】
このように、紙基材１１０は、記録装置からの熱によって生体情報が記録される感熱紙である。すなわち、紙基材１１０のうちの熱が与えられた部分において、感熱層１１２の発色剤と顕色剤とが化学反応を起こして黒色に発色することにより生体情報が記録される。したがって、記録紙１００に生体情報を記録する記録装置としては、例えば、記録紙１００を搬送しつつ、熱されたペン先を接触させることにより波形を記録する熱ペン式記録装置、または記録紙１００を搬送しつつ、直線状に配置された複数の微小発熱素子のいずれかを発熱させることにより波形を記録するサーマルヘッド式記録装置が使用されうる。使用可能な記録装置の一例については後述する。
【００１５】
なお、紙基材１１０には、生体情報と同時に、生体情報に関連する付加情報が記録される。ここで、「生体情報」とは、例えば、心電図波形や血圧波形、脳波形、筋電図波形、眼振図波形、呼吸波形、脈波形などの各種の波形、特にこれらの波形の時間的変化を意味する。また、「付加情報」とは、被検者の個人情報や計測条件などの各種の情報を意味し、例えば、被検者の年齢や性別、身長、体重、および生体情報の計測日時や記録紙の搬送速度を含む。「付加情報」は、被検者の血圧や心拍数ＨＲ（Heart Rate）などの情報をも含む。
【００１６】
センサマーカ１２０は、記録装置の搬送方向（図中の矢印Ｘ）における一定の間隔で、紙基材１１０上にあらかじめ印刷されている。すなわち、センサマーカ１２０は、ミシン目Ｐによって区分された各頁における同一の位置にそれぞれ印刷されている。
【００１７】
センサマーカ１２０は、初期処理時、記録開始時および記録終了時における記録紙１００の頁送りおよび位置合わせなどの搬送制御を適切に行うために用いられる。すなわち、センサマーカ１２０は、記録紙１００の記録または走行制御の基準となる。センサマーカ１２０を用いた搬送制御については、後の動作説明で詳細に説明する。
【００１８】
センサマーカ１２０は、記録紙１００に記録される生体情報の色の濃度、つまり紙基材１１０の発色濃度よりも低い濃度を有する色で印刷されている。これにより、生体情報がセンサマーカ１２０に重なって記録された場合であっても、生体情報がセンサマーカ１２０に隠されることがなく、生体情報の視認性の低下を抑制することができる。
【００１９】
好ましくは、センサマーカ１２０は、不可視色で印刷されている。例えば、センサマーカ１２０は、可視光線下において人間には不可視である不可視インクを用いて印刷されている。この不可視インクは、人間の肉眼では見えない波長域（例えば４００ｎｍ以下の紫外線）で光エネルギを吸収し、ＵＶ（Ultra Violet）光を照射すると青紫色に蛍光発色する。なお、センサマーカ１２０は、例えば７００ｎｍ以上の近赤外光の波長域で光エネルギを吸収するインクで印刷されていてもよい。
【００２０】
このように、センサマーカ１２０が不可視色で印刷された場合、センサマーカ１２０は、説明の便宜上図示されてはいるものの、人間にとって透明、つまりあたかも何らの印刷もされていないように見える。したがって、生体情報の記録時において、生体情報がセンサマーカ１２０の上に重なって記録された場合であっても、生体情報の視認性の低下は全くない。また、印刷されるセンサマーカ１２０の形状、数および位置にかかわらず、生体情報の視認性の低下は全くない。このように、どのようなセンサマーカをどのように印刷しても、記録紙１００の外観は損なわれない。
【００２１】
なお、本実施の形態では、センサマーカ１２０は、基紙材１１０上に印刷されるものとして説明したが、センサマーカ１２０の印刷位置はこれに限定されない。例えば、センサマーカ１２０は、記録紙１００の裏面、つまり紙層１１１の感熱層１１２およびコーティング層１１３が形成された面とは反対側の面に印刷されてもよい。
【００２２】
次に、記録紙１００に生体情報を記録する記録装置２００について、図２を用いて説明する。
【００２３】
図２は、本発明の一実施の形態に係る記録装置２００の要部構成を示す断面図である。記録装置２００は、サーマルヘッド式の記録装置である。
【００２４】
図２において、記録装置２００は、ペーパマガジン２１０と、ペーパマガジンスロット上面２２０と、軸２３０と、フォトリフレクタ２４０と、受け板２５０と、プラテンローラ２６０と、サーマルヘッド２７０と、制御部２８０とを有する。
【００２５】
ペーパマガジン２１０は、図１（Ｃ）のように折り畳まれた状態の記録紙１００を収容する。ペーパマガジン２１０が記録装置２００に正しく装着されると、ペーパマガジン２１０は、マイクロスイッチ２１１を押下し、押下されたマイクロスイッチ２１１は、ペーパマガジン２１０が正しく装着された旨の信号を制御部２８０に出力する。
【００２６】
ペーパマガジンスロット上面２２０および軸２３０は、ペーパマガジン２１０に収容された記録紙１００の搬送路を形成する。生体情報の記録時において、ペーパマガジン２１０に収容された記録紙１００は、この搬送路を通って、フォトリフレクタ２４０と受け板２５０との隙間に順次搬送される。
【００２７】
検出部としてのフォトリフレクタ２４０は、記録紙１００に印刷されたセンサマーカ１２０を検出する。より具体的には、フォトリフレクタ２４０は、発光ＬＥＤ（Light Emitting Diode）２４１およびフォトトランジスタ２４２を内蔵している。発光ＬＥＤ２４１は、記録紙１００に印刷されたセンサマーカ１２０が搬送時に通過する領域にＵＶ光または近赤外光を照射し、フォトトランジスタ２４２は、その反射光を検出する。フォトトランジスタ２４２は、センサマーカ１２０が印刷されていない部分からの反射光と、センサマーカ１２０が印刷された部分からの反射光との間の反射率の違いを利用して、センサマーカ１２０を検出する。フォトリフレクタ２４０は、センサマーカ１２０の検出結果を制御部２８０に出力する。
【００２８】
受け板２５０は、フォトリフレクタ２４０の発光ＬＥＤ２４１から照射されたＵＶ光または近赤外光を反射して、フォトリフレクタ２４０のフォトトランジスタ２４２に反射光を照射する。
【００２９】
搬送部としてのプラテンローラ２６０は、回転することによって、記録紙１００を搬送する。プラテンローラ２６０の回転により、初期処理時、記録開始時および記録終了時における頁送りおよび位置合わせが実行される。プラテンローラ２６０の回転または停止、および回転速度の切替えなどは、制御部２８０からの指示信号によって制御される。
【００３０】
記録部としてのサーマルヘッド２７０は、搬送される記録紙１００の紙基材１１０に熱を与えて発色させることにより、紙基材１１０に生体情報を記録する。より具体的には、サーマルヘッド２７０は、直線状に配置された複数の微小発熱素子からなり、これら複数の微小発熱素子のいずれかが発熱することにより、紙基材１１０に熱を与える。これにより、紙基材１１０のうち熱が与えられた部分が発色して、生体情報が記録される。サーマルヘッド２７０が紙基材１１０に与える熱量は、制御部２８０からの指示信号によって制御される。
【００３１】
制御部２８０は、図示しないＣＰＵ（Central Processing Unit）により構成されており、記録装置２００の各構成部を総合的に制御する。
【００３２】
制御部２８０は、マイクロスイッチ２１１からペーパマガジン２１０が正しく装着された旨の信号が入力されると、初期処理時における記録紙１００の頁送りおよび位置合わせを指示する旨の信号を、プラテンローラ２６０に出力する。また、制御部２８０は、記録開始スイッチ（図示せず）が押下されると、記録紙１００を搬送する旨の指示信号を、プラテンローラ２６０に出力し、記録紙１００の紙基材１１０に熱を与える旨の指示信号を、サーマルヘッド２７０に出力する。さらに、制御部２８０は、記録終了スイッチ（図示せず）が押下されると、記録終了時における記録紙１００の頁送りおよび位置合わせを行う旨の指示信号を、プラテンローラ２６０に出力し、記録紙１００の紙基材１１０に与える熱をゼロにする旨の指示信号を、サーマルヘッド２７０に出力する。
【００３３】
制御部２８０は、フォトリフレクタ２４０で検出されたセンサマーカ１２０の色の濃度よりも、紙基材１１０の発色濃度が高くなるように、サーマルヘッド２７０が紙基材１１０に与える熱量を指示する信号を、サーマルヘッド２７０に出力する。より具体的には、制御部２８０は、センサマーカ１２０の色の濃度よりも、紙基材１１０の発色濃度が常に高くなるような一定の熱量を紙基材１１０に与える旨の指示信号を、サーマルヘッド２７０に出力する。
【００３４】
以上、本実施の形態に係る記録紙１００および記録装置２００の構成について説明した。
【００３５】
以下、記録紙１００を用いた記録装置２００の動作について、図３を用いて説明する。
【００３６】
図３は、本発明の一実施の形態に係る記録紙１００および記録装置２００による生体情報の記録処理の一例を示すフローチャートである。ここでは、記録紙１００を記録装置２００にセットした後の初期処理、生体情報の記録処理、および生体情報の記録終了後の処理について説明する。なお、ここで説明する生体情報の記録処理は一例であり、この手順に含まれる工程およびその順番などは、種々変更可能である。
【００３７】
まず、記録紙１００の先端がプラテンローラ２６０に噛み合うように、記録紙１００をペーパマガジン２１０に収容する（Ｓ１）。次いで、プラテンローラ２６０は、制御部２８０からの指示信号に従って回転することにより、記録紙１００の搬送を開始する（Ｓ２）。プラテンローラ２６０は、フォトリフレクタ２４０がセンサマーカ１２０を検出するまで（Ｓ３）、記録紙１００を搬送する。そして、プラテンローラ２６０は、センサマーカ１２０が検出されると（Ｓ３：ＹＥＳ）、その検出地点から順方向または逆方向に所定距離だけ記録紙１００を搬送した後に搬送を停止する（Ｓ４）。このようにして初期処理が実行され、記録紙１００は、センサマーカ１２０を基準とした記録開始位置に合わせられる。
【００３８】
次いで、生体情報の記録の開始が指示されると（Ｓ５：ＹＥＳ）、プラテンローラ２６０は、制御部２８０から指示された搬送速度で記録紙１００の搬送を開始する一方、サーマルヘッド２７０は、搬送される記録紙１００の紙基材１１０に熱を与えて発色させることにより、紙基材１１０への生体情報の記録を開始する（Ｓ６）。なお、生体情報の記録の開始は、例えば、記録開始スイッチ（図示せず）を押下することにより行われる。
【００３９】
次いで、生体情報の記録の終了が指示されると（Ｓ７：ＹＥＳ）、サーマルヘッド２７０は、搬送される紙基材１１０に与える熱をゼロにして、紙基材１１０への生体情報の記録を終了する（Ｓ８）。なお、生体情報の記録の終了は、記録終了スイッチ（図示せず）を押下することにより行われる。
【００４０】
そして、プラテンローラ２６０は、フォトリフレクタ２４０がセンサマーカ１２０を検出すると（Ｓ９：ＹＥＳ）、その検出地点から順方向または逆方向に所定距離だけ記録紙１００を搬送した後に搬送を停止する（Ｓ１０）。このようにして、生体情報の記録終了後の頁送りおよび位置合わせが実行され、記録紙１００は、センサマーカ１２０を基準とした記録開始位置に合わせられる。このとき、非記録時において、センサマーカ１２０間をまたいだ記録紙１００の搬送を防止することができ、記録紙１００の無駄遣いが抑制される。
【００４１】
ここで、ステップＳ６〜ステップＳ８にかけて生体情報が記録された記録紙１００について、図４（Ａ）〜（Ｃ）を用いて説明する。図４（Ａ）〜（Ｃ）は、生体情報が記録された記録紙１００の一例を示す図である。
【００４２】
図４（Ａ）において、記録紙１００の紙基材１１０は、サーマルヘッド２７０から与えられた熱に反応して発色することにより、生体情報の時間変化を示す波形を記録している。また、同様の原理を用いて、紙基材１１０は、生体情報に関連する付加情報、ここでは
生体情報の計測日時と、被検者のＩＤ、年齢、性別および血圧と、記録紙の搬送速度とを記録している。
【００４３】
紙基材１１０上に印刷されたセンサマーカ１２０の色の濃度よりも、生体情報を記録した紙基材１１０の発色濃度が高くなっている。したがって、従来の黒色で印刷されたセンサマーカと比較して、記録された生体情報の視認性の低下を抑制することができる。
【００４４】
特に、図４（Ｂ）に示すように、生体情報の一部が跳ね上がってセンサマーカ１２０に重なって記録された場合であっても（領域Ｑ）、生体情報がセンサマーカ１２０に隠されることがなく、生体情報の視認性の低下を抑制することができる。さらに、センサマーカ１２０が不可視色で印刷されている場合には、センサマーカ１２０が印刷されていないように見えるので、生体情報の視認性の低下は全くない。一方、センサマーカ１２０は、紙基材１１０上に実際に印刷されているので、従来同様に、フォトリフレクタ２４０によって検出することができる。
【００４５】
この視認性の低下を抑制する効果は、生体情報のみならず、付加情報に対しても同様に発揮される。例えば、図４（Ｃ）に示すように、付加情報がセンサマーカ１２０に重なって記録された場合であっても（領域Ｒ）、付加情報がセンサマーカ１２０に隠されることがなく、付加情報の視認性の低下を抑制することができる。さらに、センサマーカ１２０が不可視色で印刷されている場合には、センサマーカ１２０が印刷されていないように見えるので、付加情報の視認性の低下は全くない。
【００４６】
以上、記録紙１００および記録装置２００による生体情報の記録処理について説明した。
【００４７】
ところで、紙基材１１０上に印刷されるセンサマーカ１２０の形状、数および位置は、上記のものに限定されず、種々変更可能である。以下では、センサマーカの形状、数または位置を変更した記録紙について、図５（Ａ）〜（Ｃ）を用いて説明する。
【００４８】
図５（Ａ）〜（Ｃ）は、センサマーカの形状、数または位置を変更した記録紙の一例を示す図である。
【００４９】
図５（Ａ）において、センサマーカ１２０に代えて、センサマーカ１３０が印刷されている。このセンサマーカ１３０は搬送方向において延伸した形状を有するので、記録紙１００の搬送速度が大きい場合であっても、フォトリフレクタ２４０による検出精度の低下を抑制することができる。また、記録紙上のごみや記録紙に空けられたパンチ孔などがセンサマーカとして検出されることによる記録装置の誤作動を防止することができる。
【００５０】
図５（Ｂ）において、センサマーカ１２０に加えて、センサマーカ１４０が印刷されている。センサマーカ１２０がある記録装置で検出可能であり、センサマーカ１４０が他の記録装置で検出可能であるとすると、１つの記録紙１００で２つの異なる記録装置に同時に対応することができる。このように、生体情報の視認性の低下を抑制するとともに、複数の記録装置に同時に対応可能な複数のセンサマーカを紙基材１１０上に散りばめて印刷することができる。
【００５１】
図５（Ｃ）において、センサマーカ１２０に代えて、センサマーカ１５０が印刷されている。このセンサマーカ１５０は、生体情報が記録されるグリッド線内の領域に印刷されているので、記録紙に空けられたパンチ孔を避けてセンサマーカを印刷することができる。これにより、パンチ孔がセンサマーカとして検出されることによる記録装置の誤作動を防止することができる。
【００５２】
このように、センサマーカの不可視性を利用すれば、従来の黒色のセンサマーカと比較して、センサマーカの形状、数および位置のバリエーションを飛躍的に広げることができる。
【００５３】
ここで、記録装置をセンサマーカの形状、数および位置を変更した記録紙に適用する場合、記録装置は、変更されたセンサマーカを検出する必要がある。本実施の形態では、既存の記録装置にセンサマーカを検出するためのアタッチメントを設けるだけで、簡単に、記録装置を記録紙に対応させることができる。
【００５４】
次に、本実施の形態に係る記録紙の変形例について、図６（Ａ）、（Ｂ）を用いて説明する。
【００５５】
図６（Ａ）、（Ｂ）は、本発明の一実施の形態に係る記録紙３００の変形例を示す図である。記録紙１００と同じ構成要素については同一の符号を付し、その説明を省略する。
【００５６】
図６（Ａ）、（Ｂ）に示すように、記録紙３００の紙基材１１０上には、コード３１０が印刷されている。
【００５７】
コード３１０は、記録装置の搬送方向（図中の矢印Ｘ）における一定の間隔で、紙基材１１０上にあらかじめ印刷されている。すなわち、コード３１０は、ミシン目Ｐによって区分された各頁における同一の位置にそれぞれ印刷されている。
【００５８】
コード３１０は、センサマーカ１２０と同様に、紙基材１１０の発色濃度よりも低い濃度を有する色、好ましくは不可視色で印刷されている。これにより、生体情報がコード３１０に重なって記録された場合であっても、生体情報の視認性の低下を抑制することができる。
【００５９】
コード３１０は、１次元バーコードや２次元バーコード、ＱＲコード、データマトリクス（Data Matrix）、ＰＤＦ４１７、Ｍａｘｉ  Ｃｏｄｅ、Ｖｅｒｉ  Ｃｏｄｅなどを含む。コード３１０は、生体情報の記録に関連する種々の情報を含んでおり、これらの情報は、記録装置に設けられた読取部（図示せず）によって読取りが可能である。
【００６０】
例えば、コード３１０は、記録される生体情報に関連する付加情報、例えば記録紙１００の各頁の識別情報を含みうる。これにより、読取部が読取った識別情報と被検者情報との対応付けを簡単に行うことができ、検査担当側における生体情報の管理の利便性を向上することができる。
【００６１】
また、コード３１０は、記録可能な記録紙の残量を示す情報を含みうる。この情報を読取った記録装置の警告部（図示せず）は、記録紙の残量が少なくなったことを警告することができる。
【００６２】
また、記録装置２００のフォトリフレクタ２４０（検出部）の検出精度によっては、コード３１０自体をセンサマーカ１２０として利用することも可能である。この場合、紙基材１１０上への印刷量を低減することができる。
【００６３】
なお、本実施の形態では、紙基材１１０は感熱紙であり、生体情報は感熱方式によって記録されるものとして説明したが、本発明はこれに限定されない。例えば、紙基材１１０を一般的な上質紙として、生体情報をインク方式やレーザ方式などの他の記録方式によって記録するようにしてもよい。
【００６４】
このように、本実施の形態によれば、記録紙を搬送しつつ、感熱方式で生体情報を記録する記録装置に用いられる記録紙において、与えられる熱に反応して発色することにより生体情報を記録する紙基材上に、記録装置の搬送方向における一定の間隔で、複数のセンサマーカを、紙基材の発色濃度よりも低い濃度を有する色、好ましくは不可視色で印刷した。これにより、生体情報がセンサマーカに重なって記録された場合であっても、生体情報がセンサマーカに隠されることがなく、生体情報の視認性の低下を抑制することができる。特に、センサマーカが不可視色で印刷された場合には、センサマーカが印刷されていないように見えるので、生体情報の視認性の低下は全くない。
【図面の簡単な説明】
【００６５】
【図１】（Ａ）本発明の一実施の形態に係る記録紙を示す断面図、（Ｂ）本発明の一実施の形態に係る記録紙を示す上面図、（Ｃ）折り畳まれた状態の記録紙を示す斜視図
【図２】本発明の一実施の形態に係る記録装置の要部構成を示す断面図
【図３】本発明の一実施の形態に係る記録紙および記録装置による記録動作を示すフローチャート
【図４】（Ａ）生体情報が記録された記録紙の一例を示す図、（Ｂ）生体情報が記録された記録紙の他の例を示す図、（Ｃ）生体情報が記録された記録紙のさらに他の例を示す図
【図５】（Ａ）センサマーカの形状または位置を変更した記録紙の一例を示す図、（Ｂ）センサマーカの形状または位置を変更した記録紙の他の例を示す図、（Ｃ）センサマーカの形状または位置を変更した記録紙のさらに他の例を示す図
【図６】（Ａ）本発明の一実施の形態に係る記録紙の変形例を示す断面図、（Ｂ）本発明の一実施の形態に係る記録紙の変形例を示す上面図
【符号の説明】
【００６６】
１００、３００  記録紙
１１０  紙基材
１１１  紙層
１１２  感熱層
１１３  コーティング層
１２０、１３０、１４０、１５０  センサマーカ
２００  記録装置
２１０  ペーパマガジン
２２０  ペーパマガジンスロット上面
２３０  軸
２４０  フォトリフレクタ
２４１  発光ＬＥＤ
２４２  フォトトランジスタ
２５０  受け板
２６０  プラテンローラ
２７０  サーマルヘッド
２８０  制御部
３１０  コード
Ｐ  ミシン目
【図１】
2008109955.tif 000003
【図２】
2008109955.tif 000004
【図３】
2008109955.tif 000005
【図４】
2008109955.tif 000006
【図５】
2008109955.tif 000007
【図６】
2008109955.tif 000008